(57)【要約】【課題】  本発明は、従来にない作用効果を発揮する画期的な創外固定器を提供することを目的とする。【解決手段】  骨１に刺入されるピン３と、該ピン３を支持するピン支持部４，５を有し骨１に添設される基体２とから成る創外固定器であって、前記基体２をマグネシウム合金で形成したものである。【選択図】      図１
2006110222.tif 000002
【特許請求の範囲】
【請求項１】
骨に刺入されるピンと、該ピンを支持するピン支持部を有し骨に添設される基体とから成る創外固定器であって、前記基体をマグネシウム合金で形成したことを特徴とする創外固定器。
【請求項２】
骨に刺入されるピンと、該ピンを支持するピン支持部を有し骨に添設される基体とから成る創外固定器であって、前記基体はマグネシウム合金で形成されエックス線透過性を発揮するように構成されていることを特徴とする創外固定器。
【請求項３】
請求項１，２いずれか１項に記載の創外固定器において、前記マグネシウム合金としてＡＺ３１が採用されていることを特徴とする創外固定器。
【請求項４】
請求項１〜３いずれか１項に記載の創外固定器において、前記ピンはマグネシウム合金と異なるエックス線透過性が低い他の金属で形成されていることを特徴とする創外固定器。
【請求項５】
請求項１〜４いずれか１項に記載の創外固定器において、前記ピンは前記基体のエックス線透過性よりも低いエックス線透過性を発揮するように構成されていることを特徴とする創外固定器。
【請求項６】
骨に刺入されるピンと、該ピンを支持するピン支持部を有し骨に添設される基体とから成る創外固定器であって、前記基体はエックス線透過性を発揮するように構成され、前記ピンは前記基体のエックス線透過性よりも低いエックス線透過性を発揮するように構成されていることを特徴とする創外固定器。
【発明の詳細な説明】
【技術分野】
【０００１】
本発明は、骨折治療などに使用される創外固定器に関するものである。
【背景技術】
【０００２】
例えば骨折等により切離した骨を接合する治療に際しては、創外固定器が使用される。
【０００３】
この創外固定器は、骨に添設される基体の両端部に、該骨に刺入されるピンを支持するピン支持部を設けた構成で、骨折により切離した骨の脇に基体を配置し、切離部を境界として、境界の右側の骨に刺入したピンを一方のピン支持部で支持するとともに、境界の左側の骨に刺入したピンを他方のピン支持部で支持するものであり、その後の骨の成長によって前記切離部が消失した後（骨折が治癒した後）、骨からピンを除去する。
【発明の開示】
【発明が解決しようとする課題】
【０００４】
ところで、この創外固定器の装着時における骨に対するピンの刺入状況の確認や、治療の途中段階における切離部の治癒状況の確認などは、エックス線を照射するレントゲンにより確認することになるが、このレントゲンによる確認作業を行なった際、この創外固定器が邪魔となり確認したい箇所が良好に見えないなどの問題点があった。
【０００５】
そこで、従来においても、基体をレントゲンの際に照射されるエックス線を透過する部材で構成された創外固定器が提案されている。
【０００６】
しかしながら、このエックス線透過性の部材として種々の素材（樹脂や金属）が試されているが、従来から採用されている部材、例えば樹脂（ポリカーボネートなど）の場合、金属に比して軽量であるが強度が不十分であり、一方、金属（アルミ合金など）の場合、樹脂に比して強度はあるが透過性が不十分で、且つ、重量があって装着性が悪いなどの問題点が指摘されている。
【０００７】
本発明は、上述した問題点を解決する、従来にない作用効果を発揮する画期的な創外固定器を提供する。
【課題を解決するための手段】
【０００８】
添付図面を参照して本発明の要旨を説明する。
【０００９】
骨１に刺入されるピン３と、該ピン３を支持するピン支持部４，５を有し骨１に添設される基体２とから成る創外固定器であって、前記基体２をマグネシウム合金で形成したことを特徴とする創外固定器に係るものである。
【００１０】
また、骨１に刺入されるピン３と、該ピン３を支持するピン支持部４，５を有し骨１に添設される基体２とから成る創外固定器であって、前記基体２はマグネシウム合金で形成されエックス線透過性を発揮するように構成されていることを特徴とする創外固定器に係るものである。
【００１１】
また、請求項１，２いずれか１項に記載の創外固定器において、前記マグネシウム合金としてＡＺ３１が採用されていることを特徴とする創外固定器に係るものである。
【００１２】
また、請求項１〜３いずれか１項に記載の創外固定器において、前記ピン３はマグネシウム合金と異なるエックス線透過性が低い他の金属で形成されていることを特徴とする創外固定器に係るものである。
【００１３】
また、請求項１〜４いずれか１項に記載の創外固定器において、前記ピン３は前記基体２のエックス線透過性よりも低いエックス線透過性を発揮するように構成されていることを特徴とする創外固定器に係るものである。
【００１４】
また、骨１に刺入されるピン３と、該ピン３を支持するピン支持部４，５を有し骨１に添設される基体２とから成る創外固定器であって、前記基体２はエックス線透過性を発揮するように構成され、前記ピン３は前記基体２のエックス線透過性よりも低いエックス線透過性を発揮するように構成されていることを特徴とする創外固定器に係るものである。
【発明の効果】
【００１５】
マグネシウム合金は他の金属に比してエックス線を良好に透過するから、例えばピンの刺入状況の確認や骨の切離部の治癒状況の確認などが良好に行なえることになり、しかも、樹脂に比して強度性に秀れ、そして、他の金属に比しても強度性に秀れ且つ軽量で良好な装着状態が得られるなど極めて商品価値の高い画期的な創外固定器となる。
【発明を実施するための最良の形態】
【００１６】
好適と考える本発明の実施形態を、図面に基づいて本発明の作用を示して簡単に説明する。
【００１７】
本発明は、例えば基体２の両端部にピン支持部４，５が設けられる創外固定器とした場合、例えば骨折等により切離した骨１を接合する治療に際しては、常法に従い、基体２を骨折により切離した骨１の脇に添設状態に配置し、切離部１ｃを境界として、境界の右側の骨１ａに刺入したピン３を一方のピン支持部４で支持するとともに、境界の左側の骨１ｂに刺入したピン３を他方のピン支持部５で支持するものであり、その後の骨１の成長によって前記切離部１ｃが消失した後（骨折が治癒した後）、骨１からピン３を除去する。尚、ピン支持部４，５で支持した状態のピン３を骨１に刺入するようにしても良い。
【００１８】
ところで、本発明に係る基体２はマグネシウム合金で形成されている。
【００１９】
即ち、本願出願人は、種々の実験・研究を繰り返し行なった結果、マグネシウム合金は、その他の金属（例えばアルミ合金）に比し、エックス線透過性に秀れ、しかも、強度がありながら軽量であり、例えば骨折等により切離した骨１を接合する治療などの人体に装着して使用される創外固定器として最適な素材であることを確認し、よって、基体２をマグネシウム合金で形成している。
【００２０】
従って、本発明によれば、装着時における骨１に対するピン３の刺入状況の確認や、治療の途中段階における骨１の切離部１ｃの治癒状況の確認など、レントゲンのエックス線を照射した際、良好な透過性を有する故に前述した種々の確認が良好に行なえることになり、しかも、強度性に秀れ且つ軽量故に装着性にも秀れることになる。
【実施例】
【００２１】
本発明の具体的な実施例について図面に基づいて説明する。
【００２２】
本実施例は、骨１に刺入されるピン３と、該ピン３を支持するピン支持部４，５を有し骨１に添設される基体２とから成る創外固定器であって、前記基体２をマグネシウム合金で形成したものである。
【００２３】
具体的には、マグネシウムは、従来から創外固定器に採用されているその他の金属（例えばアルミ）に比してエックス線透過性に秀れており、図３に示すように強度（振動吸収性）があり、且つ、軽量である。
【００２４】
但し、純粋なマグネシウムでは、基体２を構成したときにその強度が実施レベルに耐え得るものではない。
【００２５】
そこで、本実施例では、基体２をマグネシウム合金で形成しており、このマグネシウム合金として日本金属株式会社製の図４に示す化学組成で構成されるＡＺ３１を採用している。
【００２６】
このＡＺ３１（主にアルミニウム約３．０％，亜鉛約１．０％を含有）は、図５に示すようにアルミ合金（Ａ５０５２）に比して強度があり軽い。
【００２７】
本出願人は、実際にこのＡＺ３１で基体２を形成した場合、このＡＺ３１が基体２を形成する素材として非常に適していることを確認している。
【００２８】
また、前述したようにマグネシウムは、その他の金属に比して秀れたエックス線透過性を有する金属であるが、実際に創外固定器に用いる場合には、その厚みや形状によってもエックス線の透過性の高低を調整し得るものであり、合金組成を適宜調整することでもエックス線の透過性の高低を調整し得る。
【００２９】
マグネシウム合金としては、ＡＺ３１の他、ＡＺ２１（主にアルミニウム約２．０％，亜鉛約１．０％を含有），ＡＺ６１（主にアルミニウム約６．０％，亜鉛約１．０％を含有），ＡＺ８０（主にアルミニウム約８．５％，亜鉛約０．５％を含有），ＡＺ９１（主にアルミニウム約９．０％，亜鉛約１．０％を含有），ＨＫ３１（主にトリウム約３．２％，ジルコニウム０．７％を含有），ＨＭ２１（主にトリウム約２．０％，マンガン約０．８％を含有），Ｍ１（主にマンガン１．２％を含有），ＺＥ１０（主に亜鉛約１．２％，ＲａｒｅＥａｒｔｈＭｅｔａｌ約１０．１７％を含有），ＺＨ１１（主に亜鉛約０．５％，トリウム０．７５％を含有），ＺＫ１０（主に亜鉛約１．３％，ジルコニウム約０．６％を含有），ＺＫ３０（主に亜鉛約３．０％，ジルコニウム約０．６％を含有），ＺＫ６０（主に亜鉛約５．５％，ジルコニウム約０．４％を含有），ＺＭ２１（主に亜鉛約２．２％，マンガン約１．２％を含有），ＬＡ１４１（主にリチウム約１４．０％，アルミニウム約１．０％を含有）などでも良い。
【００３０】
また、本実施例では、ピン３はマグネシウム合金と異なるエックス線透過性が低い他の金属（ステンレス、チタン合金）で形成されている。
【００３１】
従って、レントゲンのエックス線を照射した際、骨１に対するピン３の刺入状況の確認が良好に行なえることになる。
【００３２】
また、ピン３は、前記基体２のエックス線透過性よりも低いエックス線透過性を発揮するように構成しても良い。例えば、ピン３を基体２と同じマグネシウム合金で形成しても、マグネシウム合金の合金組成の調整や、ピン３そのものの厚さや形状設定などによりエックス線透過性を基体２のエックス線透過性よりも低くすることもできる。尚、マグネシウム合金と異なる他のエックス線透過性の低い金属で形成しても同様である。
【００３３】
従って、ピン３をエックス線透過性が低い構成とした場合、ピン３が邪魔（影）になって治癒状況の確認が良好に行なえない場合が生じ得るが、この点、ピン３を基体２のエックス線透過性よりも低いエックス線透過性を発揮する構成とすることで、骨１に対するピン３の刺入状況の確認が確実に行なえるとともに、このピン３が邪魔（影）にならず骨１の切離部１ｃの治癒状況の確認も良好に行なえることになる。
【００３４】
別実施例として、骨１に刺入されるピン３と、該ピン３を支持するピン支持部４，５を有し骨１に添設される基体２とから成る創外固定器であって、前記基体２はエックス線透過性を発揮するように構成され、前記ピン３は前記基体２のエックス線透過性よりも低いエックス線透過性を発揮するように構成されるようにしても良い。
【００３５】
つまり、レントゲン撮影を行なった場合、基体２は全く透けて見えない（写らない）程度から、裏側の物（骨１の切離部１ｃなどの治癒状況の確認を行なう部位）が透けて見える程度のエックス線透過性を有していれば良く、一方、ピン３は、骨１への刺入状況の確認が行なえる程度のエックス線透過性を有しつつ、裏側の物（骨１の切離部１ｃなどの治癒状況の確認を行なう部位）が透けて見える程度のエックス線透過性を有する必要がある。この場合、基体２及びピン３夫々を形成する素材はマグネシウム合金だけでなく、その他の金属であっても樹脂であっても適宜採用し得るものである（但し、前述したように創外固定器として採用する素材としてはマグネシウム合金が望ましい。）。
【００３６】
従って、基体２をエックス線透過性を発揮するように構成すると共に、ピン３を前記基体２のエックス線透過性よりも低いエックス線透過性を発揮するように構成することで良好な使用状態が得られることになる。
【００３７】
尚、本実施例で言うエックス線透過性とは、レントゲン撮影を行なった際に、裏側にある物が透けて見えるか否かの度合いを示し、エックス線透過性を発揮するとは裏側にある物が透けて見えるという程度の意味である（エックス線が１００％透過するという意味に限定されるものではない。）。また、本実施例で言うエックス線透過性の高低とは裏側にある物が透けて見える際の見え易さの違い（度合い）を指す意味である。
【００３８】
以下、本実施例に係る構成各部について詳細な説明をする。
【００３９】
基体２は、図１に図示したように骨１に添設される添設部６と、この添設部６の両端部（若しくはその近傍でも良い。）に設けられ、該骨１に刺入されるピン３を支持するピン支持部４，５とで構成されており、一方のピン支持部４は、複数のピン３を支持し且つ切離した骨１を囲繞する構成であり、該ピン支持部４により支持されるピン３は、切離した骨１に放射状に刺入可能に構成されているものである。
【００４０】
添設部６は、棒ネジ状の第一添設部材７及び第三添設部材９と、該第一添設部材７及び第三添設部材９と螺合される筒状の第二添設部材８とから構成されている。第一添設部材７及び第三添設部材９に対して第二添設部材８を回動せしめることで、該第二添設部材８の両端部から該第一添設部材７及び第三添設部材９が突没し、これにより添設部６を伸縮することができる。
【００４１】
前記ピン支持部４，５は、第一添設部材７及び第三添設部材９に夫々連設されている。
【００４２】
第一添設部材７に連設されているピン支持部４（以下、第一ピン支持部４という。）は、添設部６の延設方向と交叉する方向に延びる半環状ピン支持部４が採用されている。
【００４３】
この半環状ピン支持部４は、骨折部位を囲繞できるよう形状、例えば、腕の橈骨遠位端（手首付近）の粉砕骨折を治療する為に添設部６を腕に添設した際、該半環状ピン支持部４が手首付近を囲繞できる形状のものが採用されている。
【００４４】
尚、図面では、半環状ピン支持部４としてく字状のものを図示したが、例えば、三日月状、Ｃリング状等、様々なものが採用可能である。
【００４５】
第一ピン支持部４として、例えば、手首付近の全周囲を囲繞できる環状ピン支持部４を採用しても良いが、この構成では、添設部６を腕に添設する際に手を環状ピン支持部４に通さねばならず、この分だけ、添設作業が厄介となる。特に、膝等の骨折の際には、足を環状ピン支持部４に通すことが大変厄介となる。
【００４６】
半環状ピン支持部４は二枚の半環状支持板10ａ，10ｂから成り、この二枚の半環状支持板10ａ，10ｂ間に複数のピン３を任意の間隔で挟持できるように構成されている。
【００４７】
この二枚の半環状支持板10ａ，10ｂは、調整ネジ11の操作によって間隔を広狭可能に構成されている。二枚の半環状支持板10ａ，10ｂの間隔を狭めれば、ピン３の挟持が可能となり、また、該間隔を広げれば、ピン３の挟持を解除することができる。
【００４８】
調整ネジ11は、半環状ピン支持部４の両端部の近傍の合計二カ所に設けられている。各調整ネジ11を夫々調整することにより、二枚の半環状支持板10ａ，10ｂの間隔を場所ごとに微調整でき、よって、全てのピン３を良好な挟持圧によって支持することができる。
【００４９】
また、前記調整ネジ11が螺合するネジ孔12は、二枚の半環状支持板10ａ，10ｂの内の一方の半環状支持板10ｂにのみ設けられ、他方の半環状支持板10ａには該調整ネジ11が貫通する貫通孔13のみが設けられている。この構成により、厄介な製造工程である前記ネジ孔12の穿設は、一方の半環状支持板10ｂに対してのみ行えば良いことになり、生産性が良好となる。
【００５０】
また、二枚の半環状支持板10ａ，10ｂの対向内面には、摩擦部14（具体的には微細凹凸）が夫々設けられている。この摩擦部14の存在により、二枚の半環状支持板10ａ，10ｂはピン３を極めて良好に支持することができる。
【００５１】
この第一ピン支持部４と前記第一添設部材７とは、該第一添設部材７に対して該第一ピン支持部４が屈曲及び旋回動できるように連設されている。
【００５２】
また、第一ピン支持部４は第一添設部材７に着脱自在に連設されている。
【００５３】
具体的には、第一添設部材７の端部には球部７ａが設けられ、この球部７ａが第一ピン支持部４の中央部に当接し、該球部７ａは該第一ピン支持部４と挟持体15とによって挟持されている。挟持体15は、ナット状の部材で構成され、前記第一添設部材７が挿通されるネジ孔15ａと前記球部７ａに被嵌当接する当接部15ｂとが設けられている。第一ピン支持部４（半環状支持板10ｂ）の中央部には挟持体15が螺着する螺子突部16が設けられ、この螺子突部16の先端面は、第一添設部材７の球部７ａを受ける球受け面16ａが設けられている。
【００５４】
第一添設部材７を挟持体15に挿通させて第二添設部材８に螺着し、この状態で挟持体15を第一ピン支持部４の螺子突部16に螺着せしめると、球部７ａを挟持体15が前記第一ピン支持部４側（球受け面16ａ）に押圧し、これにより挟持体15と該第一ピン支持部４とで前記第一添設部材７の球部７ａを挟持する。
【００５５】
挟持体15を弛めれば、該挟持体15と第一ピン支持部４との挟持作用が低下し、該第一ピン支持部４は、前記球部７ａを支点に傾動したり旋回動したりすることができる。
【００５６】
即ち、この第一ピン支持部４の傾動及び旋回動により、該第一ピン支持部４は第一添設部材７に対して屈曲及び旋回動できることになる。
【００５７】
また、この構成により、挟持体15を除去することにより、第一ピン支持部４と第一添設部材７との連設を解除し、第一ピン支持部４を別の構成の第一ピン支持部４に取り替えることも可能となる。
【００５８】
一方、第三添設部材９に連設されているピン支持部５（以下、第二ピン支持部５という。）は、添設部６の延設方向に延びる棒状ピン支持部５が採用されている。
【００５９】
棒状ピン支持部５は、筒状体17と、この筒状体17に貫通されるスライド体18とから成り、この筒状体17及びスライド体18夫々に設けた孔17ａ，18ａにピン３を貫通させて挟持できるように構成されている。
【００６０】
具体的には、スライド体18の両端部には螺子突部18ｂ，18ｃが形成され、スライド体18を筒状体17に配した際、筒状体17の一端部から突出状態となる一方の螺子突部18ｂにナット部材19を螺着することでスライド体18は筒状体17に抜け止め状態となるように構成されている（筒状体17の一端部にはスライド体18の螺子突部18ｂのみの貫通を許容する図示省略の径小開口部が形成されている。）。
【００６１】
この状態で、ナット部材19を螺動させると、スライド体18は筒状体17内を移動することになり、筒状体17及びスライド体18夫々に設けた孔17ａ，18ａに貫通するピン３を挟持することができ、反対方向にナット部材19を螺動させれば、ピン３の挟持を解除することができる。
【００６２】
この第二ピン支持部５と前記第三添設部材９とは、前記第一ピン支持部４と前記第一添設部材７との連設と同様、該第三添設部材９に対して該第二ピン支持部８が屈曲及び旋回動できるように連設されている。
【００６３】
また、第二ピン支持部５は第三添設部材９に着脱自在に連設されている。
【００６４】
具体的には、第三添設部材９の端部には球部９ａが設けられ、この球部９ａが第二ピン支持部５の端部に当接し、該球部９ａは該第二ピン支持部５と挟持体20とによって挟持されている。挟持体20は、ナット状の部材で構成され、前記第三添設部材９が挿通されるネジ孔20ａと前記球部に被嵌当接する当接部（図示省略）とが設けられている。第二ピン支持部５の端部には挟持体20が螺着する前述した螺子突部18ｃが設けられ、この螺子突部18ｃの先端面は、第三添設部材の球部を受ける球受け面18ｃ’が設けられている。
【００６５】
第三添設部材９を挟持体20に挿通させて第二添設部材８に螺着し、この状態で挟持体20を第二ピン支持部５の螺子突部18ｃに螺着せしめると、球部９ｃを挟持体20が前記第二ピン支持部５側（球受け面18ｃ’）に押圧し、これにより挟持体20と該第二ピン支持部５とで前記第三添設部材９の球部９ａを挟持する。
【００６６】
挟持体20を弛めれば、該挟持体20と第二ピン支持部５との挟持作用が低下し、該第二ピン支持部５は、前記球部９ａを支点に傾動したり旋回動したりすることができる。
【００６７】
即ち、この第二ピン支持部５の傾動及び旋回動により、該第二ピン支持部５は第三添設部材９に対して屈曲及び旋回動できることになる。
【００６８】
また、この構成により、挟持体20を除去することにより、第二ピン支持部５と第三添設部材９との連設を解除し、第二ピン支持部５を別の構成の第二ピン支持部５に取り替えることも可能となる。
【００６９】
本実施例の調整ネジ11は、同一の工具（例えば六角レンチ）によって螺動操作できるものが採用されている。
【００７０】
本実施例は、特に手首付近、具体的には腕の橈骨遠位端の粉砕骨折を発症した際の治療に使用するもので、以下、その使用方法を説明する。
【００７１】
先ず、骨折により多数の小片状に切離した骨１の全てにピン３を夫々刺入する。この際、一方向からピン３を夫々刺入するだけでは全ての切離した骨１ａに刺入することができず、該ピン３を所定間隔を置いた放射状とすることで全ての切離した骨１への刺入が可能となる（図２参照）。
【００７２】
また、切離した骨１を良好に固定する為、該切離した骨１ａの近傍の骨１ｂ、具体的には橈骨の骨折していない部分にもピン３を刺入する。
【００７３】
続いて、添設部６を腕の近傍に位置せしめ、第一ピン支持部４で前記切離した骨１ａに刺入したピン３を支持し、第二ピン支持部５で前記橈骨１ｂに刺入したピン３を支持する。
【００７４】
この際、第一ピン支持部４は、二枚の半環状支持板10ａ，10ｂから成る構成が採用されているから、前記所定間隔を置いて放射状となっている複数のピン３の全てを良好に挟持して支持することができる。
【００７５】
また、当然ながら第二ピン支持部５も、前記橈骨１ａに刺入したピン３の全てを良好に挟持して支持することができる。
【００７６】
また、第一ピン支持部４で支持するピン３の並設方向と第二ピン支持部５で支持するピン３の並設方向とに合わせて、添設部６に対して第一ピン支持部４や第二ピン支持部５を屈曲若しくは旋回動することにより、やはり全てのピン３を良好に挟持して支持することができる。
【００７７】
また、第一添設部材７や第二添設部材９を回動させることによっても、第一ピン支持部４や第二ピン支持部５を骨１に刺入したピン３の位置に合わせることができ、よって、該ピン３を良好に挟持して支持することができる。
【００７８】
また、添設部６の伸縮によっても、第一ピン支持部４や第二ピン支持部５を骨１に刺入したピン３の位置に合わせることができる。
【００７９】
尚、本実施例は、橈骨遠位端の粉砕骨折を発症した際、該粉砕骨折によって切離した骨１ａとその他の橈骨１ｂとにのみピン３を刺入する構成の為、骨折の治癒がある程度完了した後、該ピン３によって切離した骨１ａを固定したまま、手首の屈伸や指を使用した仕事等のリハビリを行うことができる。即ち、骨折の治療を続けながら、リハビリを行うことができる。
【００８０】
また、本実施例は、基体２をマグネシウム合金で形成しているから、装着時における骨１に対するピン３の刺入状況の確認や、治療の途中段階における骨１の切離部１ｃの治癒状況の確認など、レントゲンのエックス線を照射した際、基体２は良好な透過性を有する故に前述した種々の確認が良好に行なえることになる。
【００８１】
また、骨折の治癒がある程度完了した段階からリハビリを開始できる為、治癒を行う際に手首等を全く動かさない期間が短く、よって、手首や指の筋肉の衰えは少なく、リハビリ期間を短縮することができる。
【００８２】
骨折が完全に治癒した後、骨１からピン３を抜く。
【００８３】
本実施例は上述のように構成したから、マグネシウム合金は他の金属に比してエックス線を良好に透過するから、例えばピンの刺入状況の確認や骨の切離部の治癒状況の確認などが良好に行なえることになり、しかも、樹脂に比して強度性に秀れ、そして、他の金属に比しても強度性に秀れ且つ軽量で良好な装着状態が得られるなど極めて商品価値の高い画期的な創外固定器となる。
【００８４】
また、本実施例は、マグネシウム合金としてＡＺ３１が採用されているから、秀れた作用効果を発揮する創外固定器となる。
【００８５】
また、本実施例は、一方向からピン３を刺入するだけでは全ての切離した骨１ａに該ピン３を刺入できないような骨折でも、放射状にピン３を配設することで該全ての切離した骨１ａにピン３を刺入し、該ピン３を一個の創外固定器で全て固定して治癒を良好に達成できる実用性に秀れた創外固定器となる。
【００８６】
また、第一ピン支持部４は、放射状に配設されたピン３を任意の間隔で支持できるから、切離した骨１ａの状態に応じてピン３を最適な状態に刺入し、且つ、該骨１を固定して治癒を行うことができる。
【００８７】
また、第一ピン支持部２は添設部６に対して屈曲したり旋回動したりできるから、この点においても切離した骨１ａの状態に応じてピン３を最適な状態に刺入し、且つ、該骨１ａを固定して治癒を行うことができる。
【００８８】
また、第二ピン支持部５も添設部６に対して屈曲したり旋回動したりできるから、この点においても切離した骨１ａの状態に応じてピン３を最適な状態に刺入し、且つ、該骨１ｂや切離した骨１ａを固定して治癒を行うことができる。
【００８９】
また、添設部６は伸縮自在であるから、この点においても切離した骨１ａや該切離した骨１ａを固定する為の骨１ｂの状態に応じてピン３を最適な状態に刺入し、且つ、固定して治癒を行うことができる。
【００９０】
また、第一ピン支持部４は半環状ピン支持部10ａ，10ｂが採用されているから、手首等に被嵌する作業で該半環状ピン支持部10ａ，10ｂを簡単に骨折部位の周囲に配設することができ、よって、ピン３の支持作業を容易に行うことができる。
【００９１】
尚、本実施例は、特に腕の橈骨遠位端の粉砕骨折を治療する場合について説明したが、例えば、膝，肘等、他の骨折を治癒する場合にも採用することができる。
【００９２】
尚、本発明は、本実施例に限られるものではなく、各構成要件の具体的構成は適宜設計し得るものである。
【図面の簡単な説明】
【００９３】
【図１】本実施例を示す分解斜視図である。
【図２】本実施例の使用状態説明図である。
【図３】マグネシウムとその他の金属との物理的性質を説明する説明図である。
【図４】ＡＺ３１の化学組成図である。
【図５】マグネシウムとその他の金属との機械的特性を説明する説明図である。
【符号の説明】
【００９４】
１  骨
２  基体
３  ピン
４  ピン支持部
５  ピン支持部
【図１】
2006110222.tif 000003
【図２】
2006110222.tif 000004
【図３】
2006110222.tif 000005
【図４】
2006110222.tif 000006
【図５】
2006110222.tif 000007